(57)【要約】  【課題】  カメラ部と記憶部を分離しその間を通信機能で接続したデジタルカメラにおいて、カメラ部と記憶部一体型の撮影性能を維持しつつカメラ部内一時記憶機能のメモリ容量を大幅削減し、且つ記憶容量を気にせずに撮影できるようにする。  【解決手段】  通信機能を高速データ通信可能な携帯電話で構成するとともにカメラ部での撮影動作と撮影画像データの記憶部への伝送・記憶動作は並行して行う。  即ち、カメラ部内の一時記憶機能中に撮影画像データ記憶に必要な空き領域がある限りは撮影可能とし、また一時記憶機能中の画像データは１コマ分毎に順次通信機能によりカメラ部から記憶部に伝送・記憶し、記憶が完了した旨の記憶部からカメラ部への通報によって前記伝送・記憶した一時記憶機能中の画像データを消去する。  【選択図】図５
2008004986.tif 000002
【特許請求の範囲】
【請求項１】
撮影機能、一時記憶機能、通信機能からなるカメラ部と、通信機能、大容量記憶機能からなる記憶部から構成され、
前記カメラ部による撮影動作と、撮影された画像データを前記記憶部に送信・記憶する送信・記憶動作を並行して行うことを特徴とするデジタルカメラ。
【請求項２】
撮影機能、一時記憶機能、通信機能からなるカメラ部と、通信機能、大容量記憶機能からなる記憶部から構成され、
前記カメラ部を撮影モードに設定することによって、前記一時記憶機能に撮影画像データを記憶する空き領域がある場合は、前記カメラ部による撮影動作が可能となること、
また、前記カメラ部を撮影モードに設定することによって前記カメラ部から前記記憶部への通信接続動作が開始され、前記通信接続がなった後前記一時記憶機能に記憶されている画像データを順次前記記憶部に伝送して前記大容量記憶機能に記憶させ、
前記大容量記憶機能への記憶が終了したことを前記カメラ部が確認したとき前記大容量記憶機能が直前に記憶した画像データを前記一時記憶機能から消去すること、
を特徴とする請求項１記載のデジタルカメラ。
【請求項３】
前記カメラ部一時記憶機能の容量値 Ｍt を、
Ｍt ≧ Ｎ・Ｍ  
となるように設定することを特徴とする請求項１あるいは請求項２記載のデジタルカメラ。
但し
Ｔs：カメラ部撮影機能における一連の撮影動作（撮影、撮影した画像データ処理、および一時記憶機能への記憶）所要時間。
Ｔm：カメラ部一時記憶機能に記憶された画像データを読み出して前記記憶部に伝送して前記大容量記憶機能に記憶して後前記記憶完了をカメラ部に通報するに要する時間。
Ｔc：カメラ部と記憶部間の通信接続に要する時間（但しＴc＞Ｔs とする）。
Ｎ：Ｔs ＞ Ｔm の場合は、Ｔc／Ｔs を超える最小の正の整数値、
Ｔs ≦ Ｔm の場合は、Ｔc／Ｔs を超える最小の正の整数値、あるいは
｛Ｔs ＋（Ｔm −Ｔs ）・Ｎc｝／Ｔm   を超える最小の
正の整数値、
のうちいずれか大きい値。
Ｍ：１コマの撮影による画像データ容量。  
Ｎc：Ｔs なる時間間隔での連写可能最大コマ数。  
【発明の詳細な説明】
【技術分野】
【０００１】
本発明は、撮影機能と記憶機能を分離し、それらの間を通信機能をもって結合したデジタルカメラに関する。
【背景技術】
【０００２】
従来のデジタルカメラは撮影機能と撮影した画像データの記憶機能が一体化されている。この場合、撮影機能による撮影可能画像数は内蔵する記憶機能（フラッシュメモリ）の容量で決まる。そのため撮影可能画像数を多くしようとすると記憶機能（フラッシュメモリ）の容量を増さなければならなず高価格になる。
【０００３】
前記高価格化対策として、撮影した画像データをデジタルカメラとネットワーク接続した大容量記憶機能に送信して記憶することによって解決しようとす試みもあるが、デジタルカメラと大容量記憶機能間の通信接続確立および画像データ伝送に時間がかかる等のデジタルカメラとしての性能が低下してしまうという問題があり、まだ前記試みが広く普及するには至っていない。
【０００４】
【特許文献１】特開平０６−１３３０８１
【発明の開示】
【発明が解決しようとする課題】
【０００５】
本発明は、将来の携帯電話のデータ伝送速度の高速化を前提として、カメラ部と記憶部を分離してその間を前記高速通信可能な携帯電話で通信接続する事によってカメラ部に必要な記憶容量を大幅削減するとともに、カメラ部と記憶部間の通信接続時間あるいは画像データ伝送時間等を実質的に短縮して従来のカメラ部・記憶部一体型デジタルカメラと同等な撮影性能を確保した、デジタルカメラを提供しようとするものである。
【課題を解決するための手段】
【０００６】
撮影機能、一時記憶機能、および通信機能を有するカメラ部と、通信機能、大容量記憶機能を有する記憶部からシステムを構成する。
【０００７】
上記構成において、カメラ部における１コマの撮影開始から撮影した画像データ処理および一時記憶機能への記憶までの一連の撮影動作所要時間をＴs、
カメラ部および記憶部における一時記憶機能から前記１コマの画像データを読み取って通信機能で記憶部に伝送し、記憶部において受信した前記画像データを大容量記憶機能に記憶し、記憶完了の旨を前記記憶部から前記カメラ部に通報して前記カメラ部一時記憶機能中にある伝送・記憶済み画像データを消去するまでの所要時間をＴm、
とした場合、
【０００８】
従来の考え方においては、図５a に示す如く前記撮影動作と伝送・記憶動作はシリースに行われることから、１コマの撮影・伝送・記憶に要する時間 Ｔt は、
（数１）
Ｔt ＝ Ｔs ＋ Ｔm  
となる。
【０００９】
一方本発明においては前記撮影動作と伝送・記憶動作は並行して行う。
即ち、図５b に示す如くカメラ部が撮影モードに設定されると、前記一時記憶機能に画像データ記憶に必要な空き領域がある場合には、直ちに撮影可能となり、撮影が行われると撮影結果の画像データは一時記憶機能に記憶される。
【００１０】
また、図５c に示す如く上記撮影動作と並行してカメラ部と記憶部との間の通信接続を図る。通信接続が完了すると、前記一時記憶機能に画像データが既に記憶されている場合は、順次１コマ分ずつそれを呼び出して通信機能により記憶部に伝送し、大容量記憶部に記憶する。前記記憶が完了するとその旨を記憶部からカメラ部に通報し、それを受けたカメラ部においては先に伝送した一時記憶機能中の１コマ分の画像データを消去し次の画像データの読み出し・伝送動作に移る。
【００１１】
上記の如く撮影動作と伝送・記憶動作を並行して行うことによって、撮影間隔を短くする、即ち連写を行おうとした場合、
Ｔs ＞Ｔm で且つ撮影動作終了後直ちに伝送記憶動作を行う場合は、前記一時記憶機能容量 Ｍt は（数２）の如く最低限１コマの撮影による画像データ容量相当の記憶容量 Ｍ 、連写周期は撮影動作時間Ｔs 、連写可能枚数は原理的には無制限、となる。
（数２）
Ｍt ≧ Ｍ  
【００１２】
一方 Ｔs ≦ Ｔm  の場合、撮影間隔を撮影動作時間 Ｔs で最大 Ｎc コマの連写を許容しようとした場合は（数３）を満足する一時記憶機能容量 Ｍt が必要になる。
（数３）
Ｍt ≧ Ｎ・Ｍ  
【００１３】
但し
（数４）
Ｎ ＝ ‖｛Ｔs ＋（Ｔm −Ｔs ）・Ｎc｝／Ｔm ‖＋１  
（Ｎ：｛Ｔs ＋（Ｔm −Ｔs ）・Ｎc｝／Ｔm   を超える最小の正の整数値）  
【００１４】
また、上記場合の連写周期Ｔn は、
（数５）
Ｔn ＝（Ｔs＋Ｔm・Ｎc ）
となる。
【００１５】
但し（数３）、（数４）、（数５）において、
Ｍ：１コマの撮影による画像データ容量  
Ｎc：Ｔs なる時間間隔での連写の許容最大枚数  
である。
【００１６】
上記は定常状態、即ち通信接続が既に確立されている状態での一時記憶機能容量 Ｍt あるいは連写周期 Ｔn であるが、
初期状態即ち撮影モード開始によって通信接続が確立するに要する時間Ｔｃ（但しＴc ＞ Ｔs とする）を考慮に入れると、
Ｔs ＞Ｔm の場合必要とする一時記憶機能容量 Ｍt は（数６）となる。
（数６）
Ｍt ≧Ｎ・ Ｍ  
但し
（数７）
Ｎ＝‖Ｔc／Ｔs‖＋１
（Ｎ：Ｔc／Ｔsを超える最小の正の整数値）  
【００１７】
またＴs ≦ Ｔm  の場合は、
上記（数６）のＮは（数８）のＮ1 あるいは（数９）のＮ2 のうち大きい方の値となる。
（数８）
Ｎ1 ＝ ‖｛Ｔc ＋（Ｔm −Ｔs ）・Ｎc｝／Ｔm ‖＋１  
（Ｎ1：｛Ｔc ＋（Ｔm −Ｔs ）・Ｎc｝／Ｔm   を超える最小の正の整数値）  
（数９）
Ｎ2 ＝‖Ｔc／Ｔs ‖＋１  
（Ｎ2：  Ｔc／Ｔs  を超える最小の正の整数値）  
【００１８】
連写周期Ｔn はＴs、Ｔm の大小関係によらず（数１０）となる。
（数１０）
Ｔn ＝（Ｔｃ＋Ｔm・Ｎc ）
【００１９】
即ち、通信接続に要する時間Ｔc も、撮影動作と伝送・記憶動作は並行して行われるため、一時記憶容量を上記必要量確保することによって、撮影動作とは無関係になり、したがって撮影間隔Ｔs を従来のカメラ部、記憶部一体型デジタルカメラと同等にすることができる。
【００２０】
上記においては伝送・記憶を１コマの画像データ毎に行うとしたが、複数コマの画像データを一括して伝送・記憶することも出来る。
【００２１】
また、上記考え方は従来の一体型デジタルカメラにおいて連写速度にフラッシュメモリの書き込み速度の遅さが影響している場合はその改善にも役立てることもできる。
即ち、撮影時画像処理後の画像データのフラッシュメモリへの書き込みに際し、直接フラッシュメモリへの書き込みを行わず一担高速書き込み可能なＲＡＭに記憶させ、その後カメラの電源ＯＦＦまでの間の空き時間にＲＡＭからフラッシュメモリに書き込むように構成する。
これによってフラッシュメモリの書き込み速度の低速性を解決し撮影間隔の短縮、連写速度の向上を図ることができる。
【００２２】
ここでカメラ部から記憶部へのデータ送信は画像データのみではなく音声データも合わせて送ることも可能である。ただし画像データと音声データではデータ密度が大幅に異なることからそのための工夫は必要となるがここでの説明は省略する。
【００２３】
また記憶部においては、カメラ部から送られてきた画像データ、音声データを大容量記憶機能に記憶すると同時に再生することも出来る。
また記憶部からカメラ部に対して通信機能経由で音声での撮影の指示等を送ることも出来る。その場合の記憶部からカメラ部への音声データも前記カメラ部から記憶部に送られる画像データ、音声データと時間軸をあわせて記憶部大容量記憶機能に記憶しても良い。
【発明の効果】
【００２４】
上記本発明によって、カメラ部においては起動時間、連写速度等の撮影性能を低下させることなく一時記憶機能を極小容量の高速読み出し書き込み可能なＲＡＭ等の半導体メモリで構成できることになる。また撮影可能枚数は記憶部の大容量記憶機能の容量が許せる範囲まで拡大する。
【００２５】
またこのようなシステムによって高速通信可能な次世代携帯電話の用途が拡大できる。またより高精細度なデジタルカメラを高速通信機能と結合することによって大容量記憶機能と一体化することなく実質的に大容量化することができる。
【発明を実施するための最良の形態】
【００２６】
カメラ部は高精細度なデジタルカメラ機能付きであって高速通信可能な携帯電話機の活用が有効である。但しカメラ機能付き携帯電話では画像の精細度が不足である場合は、別に高精細度のカメラを高速通信可能な携帯電話に接続して構成しても良い。
【００２７】
また記憶部も通信機能は高速通信可能な携帯電話機の利用が、また大容量記憶機能としては高速データ書き込み可能なＨＤＤレコーダあるいはＨＤＤを搭載したＤＶＤレコーダの利用が有効である。
さらに、記憶部に大画面・高音質の再生装置を付加して即時再生を可能にすることによって、離れたところにいる撮影者と一体となった画像データ・音声データ同時再生システムを構成することも出来る。
【実施例１】
【００２８】
本発明の構成例を図１に、図１構成例のカメラ部における撮影モード時の撮影動作手順例を図２に、画像データ送信手順例を図３に、また図１実施構成例の記憶部における主として受信データ処理動作手順例を図４に、通信接続時間、撮影処理時間、伝送記憶処理時間の関係を従来の場合と対比して図５に、それぞれ示す。
今実施例においては、説明を簡略にするため、カメラ部から記憶部への伝送データは画像データのみとする。
【００２９】
図1において、
１はカメラ部、
１１はデジタルカメラ、
１２は前記デジタルカメラ１１の撮影画像を一時時記憶する一時記憶メモリ、
１３は前記一時記憶メモリ１２中の画像データを記憶部２携帯電話機２１へ送信する、また記憶部２携帯電話機２１からの画像データ記憶完了の旨の信号を受信する、携帯電話機、
【００３０】
２は記憶部、
２１は前記携帯電話機１３からの画像データの受信、および前記携帯電話機１３への記憶完了の旨の信号送信を行う携帯電話機、
２２は携帯電話機２１で受信した画像データの記憶を行う大容量記憶装置、
２３は大容量記憶装置２２に記憶された画像データの再生を行う再生装置、
３は携帯電話機１３および携帯電話機２１の通信基地局、
である。
【００３１】
次に上記図１に示す構成例の、撮影モード時の撮影動作手順および撮影済み画像データ送信手順について説明する。
【００３２】
図２はカメラ部１における撮影モード時の撮影動作手順説明図であって、
２０１は、カメラ部１撮影動作開始点、
２０２は、カメラ部１デジタルカメラ１１が撮影モードか否かを確認する撮影モード確認処理であり、撮影モードであれば処理２０３に、そうでなければ撮影動作終了点２０７で撮影動作を終了する。
【００３３】
２０３は、一時記憶メモリ１２中に次の撮影画像データを記憶するための空き領域の有無を確認するメモリ空き領域確認処理であり、空き領域がない場合は待機のため処理２０２に移る。空き領域がある場合は処理２０４に移る。
【００３４】
２０４は、デジタルカメラ１１の撮影ボタン押下確認処理であり、押下されていない場合は待機のため処理２０２に移る。押下されている場合は撮影処理２０５で撮影による画像データ処理等の撮影処理を行い撮影処理が終了した画像データ一時記憶処理２０６で画像データを一時記憶機能に記憶しその後処理２０２に戻る。
【００３５】
一方図３はカメラ部１における撮影モード時の画像データ送信手順説明図であって、
３０１は、カメラ部１が撮影モード時の画像データ送信動作開始点、
３０２は、カメラ部１デジタルカメラ１１が撮影モードか否かを確認する撮影モード確認処理であり、撮影モードであれば処理３０３に、そうでなければ撮影動作は終了したとして処理３０８に移る。
【００３６】
３０３は、カメラ部１の携帯電話機１３と記憶部２の携帯電話機２１との間で通信接続が出来ているか否かを判定する通信接続判定処理であり、通信接続が出来ていない場合は通信接続処理３０４で通信接続を行い処理３０５に移る。
【００３７】
処理３０３で通信接続が出来ていると判定すれば未送信画像データ有無判定処理３０５で一時記憶メモリ１２中の記憶部２への未送信画像データの有無を判定し、無しの場合は待機のため処理３０２に移る。有りの場合は画像データ送信処理３０６でカメラ部１から記憶部２へ画像データの送信を行い処理３０７に移る。
【００３８】
記憶完了判定処理３０７ではカメラ部１において、カメラ部１から記憶部２に送信した画像データの大容量記憶装置２２への記憶操作終了の通報を待ち、通報を得た後処理３０２に戻る。
【００３９】
通信接続断要否判定処理３０８においては通信接続を断して良いか否かの判定を行い、断の必要がない場合は直接、また断の必要がある場合は通信接続断処理３０９で接続を断した後、画像データ送信動作終了点３１０に移行して画像データ送信処理を終了する。
【００４０】
図４は記憶部２におけるカメラ部１から送信される画像データの記憶動作手順説明図である。
【００４１】
４０１は記憶部２における画像データ記憶動作の動作開始点、
４０２は携帯電話機２１とカメラ部１携帯電話機１３との間で通信接続が出来ているか否かの通信接続判定処理であり、通信接続が出来ていない場合は、画像データ記憶以外の他の処理（図示せず）を行いながら通信接続のなるのを待つ。
【００４２】
通信接続がなるとデータ受信終了判定処理４０３において、カメラ部１から送られる一連のデータ受信の終了を待つ。
【００４３】
記憶部２携帯電話機２１で一連のデータ受信が終了すると受信データ内容判定処理４０４において前記受信データの内容を判定し、記憶すべき画像データである場合はデータ記憶処理４０６に移る。受信データが画像データでない場合は、他モードデータ処理４０５で受信したデータ内容に対応したデータ処理を行い処理４０２に戻る。
【００４４】
データ記憶処理４０６では大容量記憶装置２２へのデータ記憶を、次いでデータ記憶完了信号送信処理４０７でのカメラ部１へのデータ記憶完了の旨の信号送信を行って処理４０２に戻る。
【００４５】
以上の如く構成動作させることによって、カメラ部１デジタルカメラ１１で撮影された画像データは順次記憶部２大容量記憶装置２２に送られて記憶される。
【００４６】
また上記説明においては、大容量記憶装置２２に記憶されるデータあるいは再生装置２３で再生されるデータはカメラ部１からの画像データのみとしたが、カメラ部１からの音声データ、あるいは記憶部２携帯電話機２１からカメラ部１携帯電話機１３に送られる音声データ、もあわせて記憶し再生する事も可能である。
【００４７】
また上記における撮影画像は静止画としているが動画像でも良い。
【００４８】
また上記においては、記憶部２において、再生装置２３を携帯電話機２１と別に設けているが、携帯電話機２１の再生機能を利用して簡易的に構成することも可能である。
また記憶部２はインターネット上の大容量データ記憶用サーバとしても良い。
【００４９】
また上記一時記憶メモリ１２はフラッシュメモリである必要はなく、高速書き込み・読み出し可能なＲＡＭでよい。このように構成した場合一時記憶された画像データは全て、カメラ部１の電源ＯＦＦとなるまでの間に記憶部２への送信・記憶を完了しておく必要があることは言うまでもない。
【産業上の利用可能性】
【００５０】
本発明は近い将来実用化が予定されている高速データ通信可能な携帯電話機の用途として有望である。
また高品質画像撮影が可能なデジタルカメラに前記高速データ通信可能な携帯電話機を接続して撮影画像を他に設けた大容量記憶装置に伝送することによって、デジタルカメラ側で記憶容量を気にせずに撮影できること、またカメラ部・記憶部一体型のカメラと同様連写による撮影も可能となること、からその広範な普及施策としても有効である。
【００５１】
さらに本発明の応用システムとしての撮影画像およびそれと関連する音声の即時記憶・再生機能を応用した擬似外出システム・擬似旅行システムは、老人・病気療養中の人たちにとって自宅にいて外出あるいは旅行を撮影者と擬似的に一体となって体験できるシステムとして有効である。
【図面の簡単な説明】
【００５２】
【図１】図１は本発明によるデジタルカメラの構成例である。
【図２】図２は図１に示すデジタルカメラ構成例中の、カメラ部撮影モードにおける撮影動作手順説明図である。
【図３】図３は図１に示すデジタルカメラ構成例中の、カメラ部撮影モードにおける画像データ送信動作手順説明図である。
【図４】図４は図１に示すデジタルカメラ構成例中の、記憶部における画像データ記憶動作手順説明図である。
【図５】図５は図１に示すデジタルカメラ構成例中の、起動時間、撮影時間、伝送・記憶時間の関係を従来例と比較して説明する説明図である。
【符号の説明】
【００５３】
図１において、
１：カメラ部
１１：デジタルカメラ、
１２：一時記憶メモリ、
１３：携帯電話機、
２：記憶部
２１：携帯電話機
２２：大容量記憶装置
２３：再生装置
３：携帯電話基地局
【００５４】
図２において、
２０１：携帯電話機１撮影動作開始点
２０２：撮影モード確認処理
２０３：メモリ空き領域確認処理
２０４：撮影ボタン押下確認処理
２０５：撮影処理
２０６：画像データ位置時記憶処理
２０７：撮影動作終了点
【００５５】
図３において、
３０１：携帯電話機１撮影モード時の画像データ送信動作開始点
３０２：撮影モード確認処理
３０３：通信接続判定処理
３０４：通信接続処理
３０５：未送信画像データ有無判定処理
３０６：画像データ送信処理
３０７：記憶完了判定処理
３０８：通信接続要否判定処理
３０９：通信接続断処理
３１０：画像データ送信動作終了点
【００５６】
４０１：画像データ記憶動作開始点
４０２：通信接続判定処理
４０３：データ受信終了判定処理
４０４：受信データ内容判定処理
４０５：他モードデータ処理
４０６：データ記憶処理
４０７：データ記憶完了信号送信処理
【００５７】
a ：従来例における通信接続時間、撮影時間、伝送・記憶時間の説明図
b ：本発明による撮影時間説明図
c ：本発明による通信接続時間伝送記憶時間説明図
Ｔc ：通信接続時間
Ｔs ：撮影処理時間
Ｔm ：伝送・記憶処理時間
Ｎc ：連写可能コマ数
【図１】
2008004986.tif 000003
【図２】
2008004986.tif 000004
【図３】
2008004986.tif 000005
【図４】
2008004986.tif 000006
【図５】
2008004986.tif 000007
【手続補正書】
【提出日】平成18年6月30日(2006.6.30)
【手続補正１】
【補正対象書類名】明細書
【補正対象項目名】０００７
【補正方法】変更
【補正の内容】
【０００７】
上記構成において、カメラ部における１コマの撮影開始から撮影した画像データ処理および一時記憶機能への記憶までの一連の撮影動作所要時間をＴs、
カメラ部および記憶部における一時記憶機能から前記１コマの画像データを読み取って通信機能で記憶部に伝送し、記憶部において受信した前記画像データを大容量記憶機能に記憶する準備段階として前記大容量記憶機能中の高速記憶機能を持った一時記憶用メモリに記憶し、前記一時記憶メモリへの記憶終了の旨を前記記憶部から前記カメラ部に通報して前記カメラ部一時記憶機能中にある伝送・記憶済み画像データを消去するまでの所要時間をＴm、
とした場合、
【手続補正２】
【補正対象書類名】明細書
【補正対象項目名】００１０
【補正方法】変更
【補正の内容】
【００１０】
また、図５c に示す如く上記撮影動作と並行してカメラ部と記憶部との間における記憶部の画像データ受信・記憶準備確認動作としての通信接続を図る。通信接続が完了すると、前記一時記憶機能に画像データが既に記憶されている場合は、順次１コマ分ずつそれを呼び出して通信機能により記憶部に伝送し、大容量記憶部に記憶する。前記記憶が完了するとその旨を記憶部からカメラ部に通報し、それを受けたカメラ部においては先に伝送した一時記憶機能中の１コマ分の画像データを消去し次の画像データの読み出し・伝送動作に移る。
【手続補正３】
【補正対象書類名】明細書
【補正対象項目名】００１６
【補正方法】変更
【補正の内容】
【００１６】
上記は定常状態、即ち通信接続が既に確立されている状態での一時記憶機能容量 Ｍt あるいは連写周期 Ｔn であるが、
初期状態即ち撮影モード開始によってカメラ部が記憶部における画像データの受信・記憶準備を確認する動作即ち通信接続が確立するに要する時間Ｔｃ（但しＴc ＞ Ｔs とする）を考慮に入れると、
Ｔs ＞Ｔm の場合必要とする一時記憶機能容量 Ｍt は（数６）となる。
（数６）
Ｍt ≧Ｎ・ Ｍ  
但し
（数７）
Ｎ＝‖Ｔc／Ｔs‖＋１
（Ｎ：Ｔc／Ｔsを超える最小の正の整数値）  
【手続補正４】
【補正対象書類名】明細書
【補正対象項目名】００２７
【補正方法】変更
【補正の内容】
【００２７】
また記憶部も通信機能は高速通信可能な携帯電話機の利用が、また大容量記憶機能としては高速データ書き込み可能な一時記憶機能を持ったＨＤＤレコーダあるいはＨＤＤを搭載したＤＶＤレコーダの利用が有効である。
さらに、記憶部に大画面・高音質の再生装置を付加して即時再生を可能にすることによって、離れたところにいる撮影者と一体となった画像データ・音声データ同時再生システムを構成することも出来る。
【手続補正書】
【提出日】平成18年11月8日(2006.11.8)
【手続補正１】
【補正対象書類名】特許請求の範囲
【補正対象項目名】全文
【補正方法】変更
【補正の内容】
【特許請求の範囲】
【請求項１】
撮影機能、一時記憶機能、通信機能からなるカメラ部と、通信機能、大容量記憶機能からなる記憶部から構成され、
カメラ部を撮影モードに設定することによって、カメラ部と記憶部間の通信接続状態如何にかかわらず、一時記憶機能に撮影画像データを記憶する空き領域がある場合は、カメラ部による撮影動作が可能となること、
また、カメラ部を撮影モードに設定することによってカメラ部から記憶部への通信接続動作が開始され、前記通信接続がなった後一時記憶機能に撮影画像データが記憶されている場合は、記憶されている画像データ１コマ分をカメラ部から記憶部に伝送して大容量記憶機能に記憶させ、
その後カメラ部において前記大容量記憶機能への記憶が終了したことを確認したとき大容量記憶機能が記憶した１コマ分の画像データを一時記憶機能から消去して次の１コマ分の画像データの送信動作に移行すること、
を特徴とする請求項１記載のデジタルカメラ。
【請求項２】
カメラ部一時記憶機能の容量値 Ｍt を、
Ｍt ≧ Ｎ・Ｍ  
となるように設定することを特徴とする請求項１記載のデジタルカメラ。
但し
Ｔs：カメラ部撮影機能における一連の撮影動作（撮影、撮影した画像データ処理、および一時記憶機能への記憶）所要時間。
Ｔm：カメラ部一時記憶機能に記憶された画像データを読み出して前記記憶部に伝送して前記大容量記憶機能に記憶して後前記記憶完了をカメラ部が確認するに要する時間。
Ｔc：カメラ部と記憶部間の通信接続に要する時間（但しＴc＞Ｔs とする）。
Ｎ：Ｔs ＞ Ｔm の場合は、Ｔc／Ｔs を超える最小の正の整数値、
Ｔs ≦ Ｔm の場合は、Ｔc／Ｔs を超える最小の正の整数値、あるいは
｛Ｔs ＋（Ｔm −Ｔs ）・Ｎc｝／Ｔs 
を超える最小の正の整数値、
のうちいずれか大きい値。
Ｍ：１コマ分の画像データ容量。  
Ｎc：Ｔs なる時間間隔での連写可能最大コマ数。
【手続補正２】
【補正対象書類名】明細書
【補正対象項目名】０００３
【補正方法】変更
【補正の内容】
【０００３】
前記高価格化対策として、撮影した画像データをデジタルカメラとネットワーク接続した大容量記憶機能に送信して記憶することによって解決しようとす試みもあるが、デジタルカメラと大容量記憶機能間の通信接続確立および画像データ伝送に時間がかかる等のデジタルカメラとしての性能低下という大きな問題があり、まだ前記試みが広く普及するには至っていない。
【手続補正３】
【補正対象書類名】明細書
【補正対象項目名】０００７
【補正方法】変更
【補正の内容】
【０００７】
上記構成において、カメラ部における１コマの撮影開始から撮影した画像データ処理および一時記憶機能への記憶までの一連の撮影動作所要時間をＴs、
カメラ部および記憶部における一時記憶機能から前記１コマの画像データを読み取って通信機能で記憶部に伝送し、記憶部において受信した前記画像データを大容量記憶機能に記憶する前段階として前記大容量記憶機能中の高速記憶機能を持ったバッファメモリに記憶し、前記バッファメモリへの記憶終了の旨を前記記憶部から前記カメラ部に通報して前記カメラ部一時記憶機能中にある伝送・記憶済み画像データを消去するまでの所要時間をＴm、
とした場合の撮影・伝送・記憶手順を従来の考え方と本願発明の考え方を比較して図５に示す。
【手続補正４】
【補正対象書類名】明細書
【補正対象項目名】０００８
【補正方法】変更
【補正の内容】
【０００８】
従来の考え方においては、図５a に示す如く伝送・記憶動作は撮影動作に従属して行われることから、１コマの撮影・伝送・記憶に要する時間 Ｔt は、
（数１）
Ｔt ＝ Ｔs ＋ Ｔm  
となる。
【手続補正５】
【補正対象書類名】明細書
【補正対象項目名】００１１
【補正方法】変更
【補正の内容】
【００１１】
上記の如く撮影動作と伝送・記憶動作を並行して行うことによって、撮影間隔を短縮する。即ち連写を行おうとした場合、
Ｔs ＞Ｔm で且つ撮影動作終了後直ちに伝送記憶動作を行う場合は、必要となる一時記憶機能容量 Ｍt は（数２）の如く最低限１コマの撮影による画像データ容量相当の記憶容量 Ｍであり 、連写周期は撮影動作時間Ｔs 、連写可能枚数は原理的には無制限、となる。
（数２）
Ｍt ≧ Ｍ  
【手続補正６】
【補正対象書類名】明細書
【補正対象項目名】００１３
【補正方法】変更
【補正の内容】
【００１３】
但し
（数４）
Ｎ ＝ ‖｛Ｔs ＋（Ｔm −Ｔs ）・Ｎc｝／Ｔs ‖＋１  
（Ｎ：｛Ｔs ＋（Ｔm −Ｔs ）・Ｎc｝／Ｔs   を超える最小の正の整数値）  
【手続補正７】
【補正対象書類名】明細書
【補正対象項目名】００１７
【補正方法】変更
【補正の内容】
【００１７】
またＴs ≦ Ｔm  の場合は、
上記（数６）のＮは（数８）のＮ1 あるいは（数９）のＮ2 のうち大きい方の値となる。
（数８）
Ｎ1 ＝ ‖｛Ｔc ＋（Ｔm −Ｔs ）・Ｎc｝／Ｔs ‖＋１  
（Ｎ1：｛Ｔc ＋（Ｔm −Ｔs ）・Ｎc｝／Ｔs   を超える最小の正の整数値）  
（数９）
Ｎ2 ＝‖Ｔc／Ｔs ‖＋１  
（Ｎ2：  Ｔc／Ｔs  を超える最小の正の整数値）  
【手続補正８】
【補正対象書類名】明細書
【補正対象項目名】００２２
【補正方法】変更
【補正の内容】
【００２２】
ここでカメラ部から記憶部へのデータ送信は画像データのみではなく音声データも合わせて送ることも可能である。ただし画像データと音声データではデータ密度が大幅に異なることからそのための工夫が必要となる。
【手続補正９】
【補正対象書類名】明細書
【補正対象項目名】００２７
【補正方法】変更
【補正の内容】
【００２７】
また記憶部も通信機能は高速通信可能な携帯電話機の利用が、また大容量記憶機能としては高速データ書き込み可能なバッファメモリを持ったＨＤＤレコーダあるいはＨＤＤを搭載したＤＶＤレコーダの利用が有効である。
さらに、記憶部に大画面・高音質の再生装置を付加して即時再生を可能にすることによって、離れたところにいる撮影者と一体となった画像データ・音声データ同時再生システムを構成することも出来る。
【手続補正１０】
【補正対象書類名】明細書
【補正対象項目名】００２８
【補正方法】変更
【補正の内容】
【００２８】
本発明の構成例を図１に、図１構成例のカメラ部における撮影モード時の撮影動作手順例を図２に、画像データ送信手順例を図３に、また図１構成例の記憶部における主として受信データ処理動作手順例を図４に、通信接続時間、撮影処理時間、伝送記憶処理時間の関係を従来の場合と対比して図５に、それぞれ示す。
ただし本構成例においては、説明を簡略にするため、カメラ部から記憶部への伝送データは画像データのみとする。
【手続補正１１】
【補正対象書類名】明細書
【補正対象項目名】００３４
【補正方法】変更
【補正の内容】
【００３４】
２０４は、デジタルカメラ１１の撮影ボタン押下確認処理であり、押下されていない場合は待機のため処理２０２に移る。押下されている場合は撮影処理２０５で撮影による画像データ処理等の撮影処理を行い撮影処理が終了した画像データは一時記憶処理２０６で一時記憶機能に記憶しその後処理２０２に戻る。
【手続補正１２】
【補正対象書類名】明細書
【補正対象項目名】００３８
【補正方法】変更
【補正の内容】
【００３８】
記憶完了判定処理３０７ではカメラ部１において、カメラ部１から記憶部２に送信した画像データの大容量記憶装置２２への記憶操作終了の通報を待ち、通報を得た後送信した画像データを消去する画像データ消去処理３１１を経て処理３０２に戻る。
【手続補正１３】
【補正対象書類名】明細書
【補正対象項目名】００５５
【補正方法】変更
【補正の内容】
【００５５】
図３において、
３０１：携帯電話機１撮影モード時の画像データ送信動作開始点
３０２：撮影モード確認処理
３０３：通信接続判定処理
３０４：通信接続処理
３０５：未送信画像データ有無判定処理
３０６：画像データ送信処理
３０７：記憶完了判定処理
３０８：通信接続要否判定処理
３０９：通信接続断処理
３１０：画像データ送信動作終了点
３１１：画像データ消去処理
【手続補正１４】
【補正対象書類名】図面
【補正対象項目名】図３
【補正方法】変更
【補正の内容】
【図３】
2008004986.tif 000008